(57)【要約】【課題】簡単でかつ動作空間を殆ど必要としない構成により、所期のバケット作業と圧雪や硬い地表の除去作業とを使い分けて行える産業用車両を提供する。【解決手段】バケット装置２０は、ブーム１１の遊端に相対回動自在に連結した後位構成部２１と、上部が後位構成部の上部に連結ピン２９を介して開閉動自在に連結した前位構成部３１と、両構成部間に設けた開閉動装置３６とからなる。後位構成部の下部に掻き用刃体２７を設け、前位構成部の前端部分に掬い用刃体３４を設けた。開閉動装置により後位構成部に対して前位構成部を閉動することで、掬い空間３９を形成するとともに、掬い位置の掬い用刃体に対して掻き用刃体が上位となり、開閉動装置により後位構成部に対して前位構成部を開動することで、掬い空間を開放するとともに、掻き用刃体に対して掬い用刃体が上位となるように構成した。簡単でかつ動作空間を殆ど必要としない構成でありながら、所期のバケット作業と圧雪や硬い地表の除去作業とを使い分けて行える。【選択図】図１
2007077615.tif 000002
【特許請求の範囲】
【請求項１】
車体側にブームが上下揺動自在に配設されるとともに、このブームを上下揺動させるブームシリンダが設けられ、前記ブームの遊端にバケット装置が相対回動自在に設けられるとともに、このバケット装置を回動させるバケットシリンダが設けられた産業用車両であって、前記バケット装置は、前記ブームの遊端に相対回動自在に連結された後位構成部と、その上部が後位構成部の上部に左右方向の連結ピンを介して開閉動自在に連結された前位構成部と、両構成部間に設けられた開閉動装置とからなり、後位構成部には下部に掻き用刃体が設けられるとともに、前位構成部には前端部分に掬い用刃体が設けられ、前記開閉動装置により後位構成部に対して前位構成部が閉動されることで、掬い空間が形成されるとともに、掬い位置の掬い用刃体に対して掻き用刃体が上位となるように構成され、前記開閉動装置により後位構成部に対して前位構成部が開動されることで、掬い空間が開放されるとともに、掻き用刃体に対して掬い用刃体が上位となるように構成されていることを特徴とする産業用車両。
【請求項２】
後位構成部は、左右一対の側板体間に背板体を設けるとともに、背板体の下部に掻き用刃体を設けて構成され、前位構成部は、左右一対の側板体間に底板体を設けるとともに、底板体の前端部分に掬い用刃体を設けて構成され、前記開閉動装置により後位構成部に対して前位構成部を閉動させたとき、側板体と背板体と底板体とにより掬い空間が形成されることを特徴とする請求項１記載の産業用車両。
【発明の詳細な説明】
【技術分野】
【０００１】
本発明は、たとえば前部にバケット装置を装備した建設車両などの産業用車両に関するものである。
【背景技術】
【０００２】
従来、この種の車両としては、次のような構成が提供されている。すなわち、バケットを、バケット取付ブラケット側に固定された前面開口の固定側バケット部材と、固定側バケット部材の前面開口上部に支承した支軸を支点にして作動シリンダにより回動自在に枢着された前後面開口の開閉側バケット部材から構成している。そして、両バケット部材の閉止合せ面を支軸位置から後方に向けて３０°〜６０°の下降傾斜角度に形成して、合せ面で開閉するように構成するとともに、両バケット部材が対峙する開口下部両側壁部に、それぞれ曲面尖状の掴みリブを、バケット閉止時に互いに交錯して相手側バケット部材に入り込むように突設して構成している（たとえば、特許文献１参照。）。しかし、この特許文献１の構成によると、バケットを使用して、土砂などの掘削、積み込みは行えるが、圧雪（アイスバーン）や硬い地表の剥がしは容易に行えない。
【０００３】
そこで圧雪除去装置の従来例として、次のような構成が提供されている。すなわち、リフトアームとチルトリンクの先端に回動自在に取着するとともに、ブレード、バケットあるいはマルチカプラを固着したブラケットと、このブラケットに回動自在に取着するとともに、スカリファイヤ装置を固着したスカリファイヤ用ブラケットと、スカリファイヤ用ブラケットに着脱自在に取着されたスカリファイヤ爪とを備え、一端をスカリファイヤ用ブラケットに、他端をリフトアームに取着するとともに、スカリファイヤ用ブラケットの回動位置を調整する伸縮手段を備えている。そして伸縮手段は、油圧シリンダあるいはピンと、ピンが船体係合する複数の孔を有する板材とにより構成されている（たとえば、特許文献２参照。）。
【特許文献１】実開平５−４７０５０号公報（第５頁、図１、図３）
【特許文献２】特許第３６５７０４５号公報（第３−4頁、図１）
【特許文献３】実用新案登録第２５７８０５５号公報（図１）
【発明の開示】
【発明が解決しようとする課題】
【０００４】
上記した特許文献２の構成によると、スカリファイヤ爪を非作業位置にすることで雪を上方にかきあげる作業を行え、またスカリファイヤ爪を作業位置にすることで圧雪の除去を行える。しかし、スカリファイヤ爪を非作業位置と作業位置とに切り換えるための構造、すなわち、スカリファイヤ用ブラケットの回動位置を調整する構造が必要であることから、全体が複雑になり、そして切り換え動作のための空間を確保しなければならない。
【０００５】
そこで本発明の請求項１記載の発明は、簡単でかつ動作空間を殆ど必要としない構成により、所期のバケット作業と圧雪や硬い地表の除去作業とを使い分けて行える産業用車両を提供することを目的としたものである。
【課題を解決するための手段】
【０００６】
前述した目的を達成するために、本発明の請求項１記載の産業用車両は、車体側にブームが上下揺動自在に配設されるとともに、このブームを上下揺動させるブームシリンダが設けられ、前記ブームの遊端にバケット装置が相対回動自在に設けられるとともに、このバケット装置を回動させるバケットシリンダが設けられた産業用車両であって、前記バケット装置は、前記ブームの遊端に相対回動自在に連結された後位構成部と、その上部が後位構成部の上部に左右方向の連結ピンを介して開閉動自在に連結された前位構成部と、両構成部間に設けられた開閉動装置とからなり、後位構成部には下部に掻き用刃体が設けられるとともに、前位構成部には前端部分に掬い用刃体が設けられ、前記開閉動装置により後位構成部に対して前位構成部が閉動されることで、掬い空間が形成されるとともに、掬い位置の掬い用刃体に対して掻き用刃体が上位となるように構成され、前記開閉動装置により後位構成部に対して前位構成部が開動されることで、掬い空間が開放されるとともに、掻き用刃体に対して掬い用刃体が上位となるように構成されていることを特徴としたものである。
【０００７】
したがって請求項１の発明によると、開閉動装置の作動により、後位構成部に対して前位構成部を、連結ピンを介して閉動させることで掬い空間を形成し得るとともに、掬い位置の掬い用刃体に対して掻き用刃体の下端を上位とし得る。したがって、かかる形態のバケット装置を、ブームシリンダやバケットシリンダの伸縮動作により作動させることで、積雪や土砂などを、掬い用刃体を介して掬い空間内に掬い取ったのち、排雪や排土するなど、通常のバケット作業を遂行し得る。
【０００８】
また、開閉動装置の逆作動により、後位構成部に対して前位構成部を、連結ピンを介して上方へと開動させたとき、掬い空間を開放し得るとともに、掻き用刃体に対して掬い用刃体を上位とし得る。したがって、かかる形態のバケット装置を、ブームシリンダやバケットシリンダの伸縮動作により作動させて掻き用刃体の下縁を着地状態とすることで、前進走行によって、圧雪や硬い地表などを掻き用刃体によって掻き剥がし得る。なお、掻き剥がし後においては、上述したようにして、掬い空間を形成した形態のバケット装置によって排雪や排土し得る。
【０００９】
また本発明の請求項２記載の産業用車両は、上記した請求項１記載の構成において、後位構成部は、左右一対の側板体間に背板体を設けるとともに、背板体の下部に掻き用刃体を設けて構成され、前位構成部は、左右一対の側板体間に底板体を設けるとともに、底板体の前端部分に掬い用刃体を設けて構成され、前記開閉動装置により後位構成部に対して前位構成部を閉動させたとき、側板体と背板体と底板体とにより掬い空間が形成されることを特徴としたものである。
【００１０】
したがって請求項２の発明によると、開閉動装置の作動により、後位構成部に対して前位構成部を、連結ピンを介して閉動させ、底板体の後端縁部を掻き用刃体の前面側に当接させて密閉状としたとき、側板体と背板体と底板体とにより掬い空間を形成し得る。
【発明の効果】
【００１１】
上記した本発明の請求項１によると、開閉動装置の作動により、後位構成部に対して前位構成部を閉動させることで掬い空間を形成できるとともに、掬い位置の掬い用刃体に対して掻き用刃体の下端を上位にできる。したがって、かかる形態のバケット装置を、ブームシリンダやバケットシリンダの伸縮動作により作動させることで、積雪や土砂などを、掬い用刃体を介して掬い空間内に掬い取ったのち、排雪や排土するなど、通常のバケット作業を遂行できる。また、開閉動装置の逆作動により、後位構成部に対して前位構成部を上方へと開動させることで掬い空間を開放できるとともに、掻き用刃体に対して掬い用刃体を上位にできる。したがって、かかる形態のバケット装置を、ブームシリンダやバケットシリンダの伸縮動作により作動させて掻き用刃体の下縁を着地状態とすることで、前進走行によって、圧雪や硬い地表などを掻き用刃体によって掻き剥がすことができる。
【００１２】
このようにバケット装置は、後位構成部と前位構成部とを連結ピンを介して開閉動自在に連結するとともに、両構成部間に開閉動装置を設け、後位構成部の下部に掻き用刃体を設けるとともに、前位構成部の前端部分に掬い用刃体を設けた簡単でかつ動作空間を殆ど必要としない構成でありながら、所期のバケット作業と圧雪や硬い地表の除去作業とを使い分けて行うことができる。
【００１３】
また上記した本発明の請求項２によると、開閉動装置の作動により、後位構成部に対して前位構成部を、連結ピンを介して閉動させ、底板体の後端縁部を掻き用刃体の前面側に当接させて密閉状とすることで、側板体と背板体と底板体とにより掬い空間を形成できる。
【発明を実施するための最良の形態】
【００１４】
［実施の形態］
以下に、本発明の実施の形態を図に基づいて説明する。
図１〜図３において、産業用車両の一例である建設車両（ホイールローダ）１は、その車体２が、左右一対の前車輪（車輪）３Ａが設けられた前車体部２Ａと、左右一対の後車輪（車輪）３Ｂが設けられた後車体部２Ｂとにより構成されている。両車体部２Ａ，２Ｂ間は、上下に振り分けられた縦連結軸４により相対回動自在に連結され、そして両車体部２Ａ，２Ｂ間には、左右一対のステアリングシリンダ５が配設されている。後車体部２Ｂの前端上部には運転部１０が設けられ、この運転部１０には、座席、前後進レバー、ブーム操作レバー、バケット操作レバー、バケット開閉操作レバー、アクセルなどが配置されている。
【００１５】
前記運転部１０の前方で前車体部２Ａには、左右一対のブーム１１が横方向軸１２を介して上下揺動自在に配設されるとともに、このブーム１１を上下揺動させる左右一対のブームシリンダ１３が、前車体部２Ａとブーム１１との間に設けられている。両ブーム１１の遊端間には、バケット装置２０が横方向ピン１４を介して相対回動自在に取り付けられ、また両ブーム１１の中間部間には、その遊端が横方向ピン１５を介してバケット装置２０に相対回動自在に連結されたリンク機構１６が設けられている。そしてリンク機構１６の基端と前車体部２Ａとの間には、その伸縮動によりリンク機構１６を介してバケット装置２０を回動させるバケットシリンダ１７が設けられている。
【００１６】
前記バケット装置２０は、前記ブーム１１の遊端に相対回動自在に連結された後位構成部２１と、その上部が後位構成部２１の上部に左右方向（車幅方向）の連結ピン２９を介して開閉動自在に連結された前位構成部３１と、両構成部２１，３１間に設けられた開閉用シリンダ（開閉動装置の一例）３６とから構成されている。
【００１７】
すなわち後位構成部２１は、左右一対の側板体２２と、両側板体２２の内側面間に設けられた後方へ凸円弧状の背板体２３とからなり、この背板体２３の後面側には外側ブラケット２４と内側ブラケット２５とが設けられている。前記外側ブラケット２４に横方向ピン１４を介して両ブーム１１の遊端が相対回動自在に連結されるとともに、内側ブラケット２５に横方向ピン１５を介してリンク機構１６の遊端が相対回動自在に連結されている。前記背板体２３の下縁は側板体２２の下縁に対して少し上位とされ、そして背板体２３の下部で後面側には、下縁よりも下方へ突出される取り付け用板体２６が設けられている。この取り付け用板体２６の前面側でかつ左右方向の複数箇所には掻き用刃体２７が設けられ、これら掻き用刃体２７は上下方向に向いており、その下縁が取り付け用板体２６の下縁よりも下方へ突出される状態で連結されている。以上の２２〜２７などにより、後位構成部２１の一例が構成される。
【００１８】
また前位構成部３１は、後位構成部２１の側板体２２の外側に位置される左右一対の側板体３２と、両側板体３２の下端内側面間に設けられた底板体３３とからなり、この底板体３３の前端部分には板状の掬い用刃体３４が設けられている。そして底板体３３の後端縁部は、掻き用刃体２７群の前面側に当接自在に構成されている。以上の３２〜３４などにより、前位構成部３１の一例が構成される。
【００１９】
後位構成部２１の上部と前位構成部３１の上部とが、左右方向の連結ピン２９を介して相対回動自在に連結されている。そして開閉用シリンダ３６は、後位構成部２１における背板体２３の後方に左右一対で配設され、そのシリンダ本体３６Ａの下端が、左右方向ピン３７を介して側板体２２の中間部分に連結され、また上向きのピストンロッド３７Ｂの遊端が、前記連結ピン２９の上方位置において、前位構成部３１の側板体３２の上端に左右方向ピン３８を介して連結されている。
【００２０】
その際に、前記開閉用シリンダ３６により後位構成部２１に対して前位構成部３１を閉動させたとき、側板体２２，３２と背板体２３と底板体３３とにより掬い空間３９が形成されるとともに、掬い位置の掬い用刃体３４に対して掻き用刃体２７が上位となるように構成されている。また、前記開閉用シリンダ３６により後位構成部２１に対して前位構成部３１を開動させたとき、掬い空間３９が開放されるとともに、掻き用刃体２７に対して掬い用刃体３４が上位となるように構成されている。以上の２１〜３９などにより、バケット装置２０の一例が構成される。
【００２１】
以下に、上記した実施の形態における作用を説明する。
建設車両１の前進走行Ａや後進走行Ｂは、運転部１０において前後進レバーを操作することにより行える。また前進走行Ａ時や後進走行Ｂ時において、適宜、運転部１０におけるレバー操作などを行うことにより、ブームシリンダ１３やバケットシリンダ１７を伸縮動作し得、以てブーム１１やバケット装置２０を作動して所期の作業を遂行し得る。
【００２２】
すなわち図１実線、図２、図４に示すように、前記開閉用シリンダ３６の伸展動により、後位構成部２１に対して前位構成部３１を、連結ピン２９を介して閉動させ、底板体３３の後端縁部を掻き用刃体２７群の前面側に当接させて密閉状としたとき、側板体２２，３２と背板体２３と底板体３３とにより掬い空間３９を形成し得るとともに、掬い位置の掬い用刃体３４に対して掻き用刃体２７の下端を上位とし得る。したがって、かかる形態のバケット装置２０を、ブームシリンダ１３やバケットシリンダ１７の伸縮動作により作動させることで、たとえば積雪Ｓを、掬い用刃体３４を介して掬い空間３９内に掬い取ったのち、排雪（他の場所への投雪や、車両への積み付け）するなど、通常のバケット作業を遂行し得る。
【００２３】
また図１仮想線、図５に示すように、前記開閉用シリンダ３６の収縮動により、後位構成部２１に対して前位構成部３１を、連結ピン２９を介して上方へと開動させたとき、掬い空間３９を開放し得るとともに、掻き用刃体２７に対して掬い用刃体３４を上位とし得る。したがって、かかる形態のバケット装置２０を、ブームシリンダ１３やバケットシリンダ１７の伸縮動作により作動させて、下向きの掻き用刃体２７の下縁を着地状態とすることで、前進走行Ａによって、たとえば圧雪（アイスバーン）ＰＳを掻き用刃体２７群によって掻き剥がし得る。
【００２４】
なお、掻き剥がし後においては、上述したようにして、掬い空間３９を形成した形態のバケット装置２０によって排雪し得る。さらには整地をも行える。
このように、前記バケット装置２０は、後位構成部２１と前位構成部３１とを連結ピン２９を介して開閉動自在に連結するとともに、両構成部２１，３１間に開閉用シリンダ３６を設け、後位構成部２１の下部に掻き用刃体２７を設けるとともに、前位構成部３１の前端部分に掬い用刃体３４を設けた簡単でかつ動作空間を殆ど必要としない構成でありながら、所期のバケット作業と圧雪や硬い地表の除去作業とを使い分けて行える。また、掻き用刃体２７をバケット装置２０の部分に設けることで、圧雪や硬い地表の除去作業は運転部１０から把握し易いことになる。
【００２５】
上記した実施の形態では、バケット装置２０を、積雪Ｓの排雪と圧雪ＰＳの掻き剥がしとに使い分ける作業が示されているが、これは、土砂の排出と硬い地表の掻き剥がしとに使い分ける作業などであってもよい。
【００２６】
上記した実施の形態では、産業用車両として、ホイールローダからなる建設車両１が示されているが、これは、他の建設車両などであってもよい。
【図面の簡単な説明】
【００２７】
【図１】本発明の実施の形態を示し、産業用車両の側面図である。
【図２】同産業用車両におけるバケット装置部分の縦断側面図である。
【図３】同産業用車両におけるバケット装置部分の一部切り欠き背面図である。
【図４】同産業用車両におけるバケット装置部分の積雪処理時の一部切り欠き側面図である。
【図５】同産業用車両におけるバケット装置部分の圧雪処理時の一部切り欠き側面図である。
【符号の説明】
【００２８】
１      建設車両（産業用車両）
２      車体
１０    運転部
１１    ブーム
１３    ブームシリンダ
１６    リンク機構
１７    バケットシリンダ
２０    バケット装置
２１    後位構成部
２２    側板体
２３    背板体
２６    取り付け用板体
２７    掻き用刃体
２９    連結ピン
３１    前位構成部
３２    側板体
３３    底板体
３４    掬い用刃体
３６    開閉用シリンダ（開閉動装置）
３９    掬い空間
Ａ      前進走行
Ｂ      後進走行
Ｓ      積雪
ＰＳ    圧雪
【図１】
2007077615.tif 000003
【図２】
2007077615.tif 000004
【図３】
2007077615.tif 000005
【図４】
2007077615.tif 000006
【図５】
2007077615.tif 000007